【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
画像を表示する表示部と、
前記画像から被写体を検出する注目被写体検出部と、
前記注目被写体検出部によって検出された被写体の位置に基づいて、該被写体の所定位置を前記表示部の中心位置に向けて所定量だけ移動させる設定を行う領域設定部と、
を備えたことを特徴とする電子機器。
【請求項２】
前記注目被写体検出部は、前記被写体の中心位置を抽出し、
前記領域設定部は、前記表示部の垂直方向における中心位置が前記画像の垂直方向における中心位置に一致するように設定することを特徴とする請求項１に記載の電子機器。
【請求項３】
電子的な画像データを連続的に生成する撮像部をさらに備え、
前記注目被写体検出部は、第１の縦横比率で撮影を行う第１の撮影モードから前記第１の縦横比率とは異なる第２の縦横比率で撮影を行う第２の撮影モードの移行時に、前記撮像部によって生成された画像データに対応する画像である撮像領域画像から被写体を検出することを特徴とする請求項１または２に記載の電子機器。
【請求項４】
前記撮像部が順次生成する画像データを記憶する記憶部と、
前記撮像領域画像から所定の領域を切り出す画像切り出し部と、
をさらに備え、
前記領域設定部は、前記注目被写体検出部によって検出された被写体の位置に基づいて、前記撮像領域画像から前記第２の縦横比率で切り出されて前記記憶部に記憶させる記録領域を設定し、
前記画像切り出し部は、前記領域設定部によって設定された前記記録領域を前記撮像領域画像から切り出すことを特徴とする請求項３に記載の電子機器。
【請求項５】
前記撮像部によって生成された画像データに対応する画像のブレ量を算出し、該ブレ量に基づいて前記記録領域に記録された画像の補正を行う手ブレ補正部をさらに備え、
前記記録領域の第１の方向における一端と、前記撮像領域画像の前記第１の方向における一端との間隔が、所定範囲よりも狭い場合に、前記第１の方向と直交する第２の方向のみにおいて前記補正を行い、前記間隔が所定範囲以上である場合に、前記第１及び第２の方向において前記補正を行うことを特徴とする請求項４に記載の電子機器。
【請求項６】
前記第２の縦横比率は、前記第１の縦横比率よりも小さいことを特徴とする請求項３〜５のいずれか一つに記載の電子機器。
【請求項７】
視野領域からの光を集光するレンズ部と、該レンズ部が集光した光を電気信号に変換する撮像素子を有し、該電気信号に基づいて電子的な画像データを連続的に生成する撮像部と、該撮像部が生成した画像データを記憶する記憶部と、前記撮像部が生成する画像データに基づいて画像を表示する表示部とを備え、第１の縦横比率で撮影を行う第１の撮影モードと、前記第１の縦横比率とは異なる第２の縦横比率で撮影を行う第２の撮影モードとを有する電子機器が実行する画像変換方法であって、
前記第１の撮影モードから前記第２の撮影モードへの移行時に、前記撮像部によって生成された画像データに対応する画像である撮像領域画像から被写体を検出する注目被写体検出ステップと、
前記撮像領域画像から前記第２の縦横比率で切り出されて記録される記録領域を、前記注目被写体検出ステップにおいて検出された被写体の位置に基づいて初期設定すると共に、該初期設定された記録領域の中心位置を前記撮像領域画像の中心位置に向けて所定量だけ移動させる設定を行う領域設定ステップと、
前記領域設定ステップにおいて設定された前記記録領域を前記撮像領域画像から切り出す画像切出しステップと、
を含むことを特徴とする撮像方法。
【請求項８】
視野領域からの光を集光するレンズ部と、該レンズ部が集光した光を電気信号に変換する撮像素子を有し、該電気信号に基づいて電子的な画像データを連続的に生成する撮像部と、該撮像部が生成した画像データを記憶する記憶部と、前記撮像部が生成する画像データに基づいて画像を表示する表示部とを備え、第１の縦横比率で撮影を行う第１の撮影モードと、前記第１の縦横比率とは異なる第２の縦横比率で撮影を行う第２の撮影モードとを有する電子機器に、
前記第１の撮影モードから前記第２の撮影モードへの移行時に、前記撮像部によって生成された画像データに対応する画像である撮像領域画像から被写体を検出する注目被写体検出ステップと、
前記撮像領域画像から前記第２の縦横比率で切り出されて記録される記録領域を、前記注目被写体検出ステップにおいて検出された被写体の位置に基づいて初期設定すると共に、該初期設定された記録領域の中心位置を前記撮像領域画像の中心位置に向けて所定量だけ移動させる設定を行う領域設定ステップと、
前記領域設定ステップにおいて設定された前記記録領域を前記撮像領域画像から切り出す画像切出しステップと、
を実行させることを特徴とする画像変換プログラム。
【手続補正２】
【補正対象書類名】明細書
【補正対象項目名】発明の名称
【補正方法】変更
【補正の内容】
【発明の名称】電子機器、撮像方法、及び画像変換プログラム
【手続補正３】
【補正対象書類名】明細書
【補正対象項目名】０００７
【補正方法】変更
【補正の内容】
【０００７】
上述した課題を解決し、目的を達成するために、本発明に係る電子機器は、画像を表示する表示部と、前記画像から被写体を検出する注目被写体検出部と、前記注目被写体検出部によって検出された被写体の位置に基づいて、該被写体の所定位置を前記表示部の中心位置に向けて所定量だけ移動させる設定を行う領域設定部と、を備えたことを特徴とする。
【手続補正４】
【補正対象書類名】明細書
【補正対象項目名】０００８
【補正方法】変更
【補正の内容】
【０００８】
また、本発明にかかる電子機器は、上記発明において、前記注目被写体検出部は、前記被写体の中心位置を抽出し、前記領域設定部は、前記表示部の垂直方向における中心位置が前記画像の垂直方向における中心位置に一致するように設定することを特徴とする。
【手続補正５】
【補正対象書類名】明細書
【補正対象項目名】０００９
【補正方法】変更
【補正の内容】
【０００９】
また、本発明にかかる電子機器は、上記発明において、電子的な画像データを連続的に生成する撮像部をさらに備え、前記注目被写体検出部は、第１の縦横比率で撮影を行う第１の撮影モードから前記第１の縦横比率とは異なる第２の縦横比率で撮影を行う第２の撮影モードの移行時に、前記撮像部によって生成された画像データに対応する画像である撮像領域画像から被写体を検出することを特徴とする。
【手続補正６】
【補正対象書類名】明細書
【補正対象項目名】００１０
【補正方法】変更
【補正の内容】
【００１０】
また、本発明にかかる電子機器は、上記発明において、前記撮像部が順次生成する前記画像データを記憶する記憶部と、前記撮像領域画像から所定の領域を切り出す画像切り出し部と、をさらに備え、前記領域設定部は、前記注目被写体検出部によって検出された被写体の位置に基づいて、前記撮像領域画像から前記第２の縦横比率で切り出されて前記記憶部に記憶させる記録領域を設定し、前記画像切り出し部は、前記領域設定部によって設定された前記記録領域を前記撮像領域画像から切り出すことを特徴とする。
【手続補正７】
【補正対象書類名】明細書
【補正対象項目名】００１１
【補正方法】変更
【補正の内容】
【００１１】
また、本発明にかかる電子機器は、上記発明において、前記撮像部によって生成された画像データに対応する画像のブレ量を算出し、該ブレ量に基づいて前記記録領域に記録された画像の補正を行う手ブレ補正部をさらに備え、前記記録領域の第１の方向における一端と、前記撮像領域画像の前記第１の方向における一端との間隔が、所定範囲よりも狭い場合に、前記第１の方向と直交する第２の方向のみにおいて前記補正を行い、前記間隔が所定範囲以上である場合に、前記第１及び第２の方向において前記補正を行うことを特徴とする。
【手続補正８】
【補正対象書類名】明細書
【補正対象項目名】００１２
【補正方法】変更
【補正の内容】
【００１２】
また、本発明にかかる電子機器は、上記発明において、前記第２の縦横比率は、前記第１の縦横比率よりも小さいことを特徴とする。
【手続補正９】
【補正対象書類名】明細書
【補正対象項目名】００１３
【補正方法】変更
【補正の内容】
【００１３】
また、本発明にかかる撮像方法は、視野領域からの光を集光するレンズ部と、該レンズ部が集光した光を電気信号に変換する撮像素子を有し、該電気信号に基づいて電子的な画像データを連続的に生成する撮像部と、該撮像部が生成した画像データを記憶する記憶部と、前記撮像部が生成する画像データに基づいて画像を表示する表示部とを備え、第１の縦横比率で撮影を行う第１の撮影モードと、前記第１の縦横比率とは異なる第２の縦横比率で撮影を行う第２の撮影モードとを有する電子機器が実行する画像変換方法であって、前記第１の撮影モードから前記第２の撮影モードへの移行時に、前記撮像部によって生成された画像データに対応する画像である撮像領域画像から被写体を検出する注目被写体検出ステップと、前記撮像領域画像から前記第２の縦横比率で切り出されて記録される記録領域を、前記注目被写体検出ステップにおいて検出された被写体の位置に基づいて初期設定すると共に、該初期設定された記録領域の中心位置を前記撮像領域画像の中心位置に向けて所定量だけ移動させる設定を行う領域設定ステップと、前記領域設定ステップにおいて設定された前記記録領域を前記撮像領域画像から切り出す画像切出しステップと、を含むことを特徴とする。
【手続補正１０】
【補正対象書類名】明細書
【補正対象項目名】００１４
【補正方法】変更
【補正の内容】
【００１４】
また、本発明にかかる画像変換プログラムは、視野領域からの光を集光するレンズ部と、該レンズ部が集光した光を電気信号に変換する撮像素子を有し、該電気信号に基づいて電子的な画像データを連続的に生成する撮像部と、該撮像部が生成した画像データを記憶する記憶部と、前記撮像部が生成する画像データに基づいて画像を表示する表示部とを備え、第１の縦横比率で撮影を行う第１の撮影モードと、前記第１の縦横比率とは異なる第２の縦横比率で撮影を行う第２の撮影モードとを有する電子機器に、前記第１の撮影モードから前記第２の撮影モードへの移行時に、前記撮像部によって生成された画像データに対応する画像である撮像領域画像から被写体を検出する注目被写体検出ステップと、前記撮像領域画像から前記第２の縦横比率で切り出されて記録される記録領域を、前記注目被写体検出ステップにおいて検出された被写体の位置に基づいて初期設定すると共に、該初期設定された記録領域の中心位置を前記撮像領域画像の中心位置に向けて所定量だけ移動させる設定を行う領域設定ステップと、前記領域設定ステップにおいて設定された前記記録領域を前記撮像領域画像から切り出す画像切出しステップと、を実行させることを特徴とする。
【手続補正１１】
【補正対象書類名】明細書
【補正対象項目名】００１５
【補正方法】削除
【補正の内容】